(57)【要約】【課題】開口部を開閉する構成が簡易で、小型化や薄型化が図れるレンズカバー機構を備えると共に、機能装置の設置位置の自由度を向上させるプロジェクターを提供する。【解決手段】プロジェクター１は、投写される光を通過させる開口部１１１を有する外装筐体１０と、開口部１１１を開閉するレンズカバー機構１００と、を備え、レンズカバー機構１００は、第１レンズカバー２１と第２レンズカバー２２とを有し、移動して開口部１１１を開閉するレンズカバー２と、回動してレンズカバー２を移動させるリンク部材３と、レンズカバー２の移動とリンク部材３の回動とを案内する案内部材５と、を備え、リンク部材３の回動により第１レンズカバー２１が移動し、第１レンズカバー２１の移動により第２レンズカバー２２が移動することで開口部１１１を開閉し、開口部１１１が開放された開放状態において、第１レンズカバー２１と第２レンズカバー２２とは重なる。【選択図】図６
2015102784.tif 000002
【特許請求の範囲】
【請求項１】
光源装置から射出された光を画像情報に応じて変調し、変調した光を投写レンズで投写するプロジェクターであって、
前記光源装置および前記投写レンズを収容すると共に、前記投写レンズから投写される前記光を通過させる開口部を有する外装筐体と、
前記開口部を開閉するレンズカバー機構と、を備え、
前記レンズカバー機構は、
第１レンズカバーと第２レンズカバーとを有し、移動して前記開口部を開閉するレンズカバーと、
回動して前記レンズカバーを移動させるリンク部材と、
前記レンズカバーの移動と前記リンク部材の回動とを案内する案内部材と、を備え、
前記リンク部材の回動により前記第１レンズカバーが移動し、前記第１レンズカバーの移動により前記第２レンズカバーが移動することで前記開口部を開閉し、
前記開口部が開放された開放状態において、前記第１レンズカバーと前記第２レンズカバーとは重なることを特徴とするプロジェクター。
【請求項２】
請求項１に記載のプロジェクターであって、
前記開放状態において、前記リンク部材と前記レンズカバーとは、前記開口部の両側に位置していることを特徴とするプロジェクター。
【請求項３】
請求項１または請求項２に記載のプロジェクターであって、
前記リンク部材と前記第１レンズカバーとは、前記リンク部材の回動により前記第１レンズカバーが移動するための第１係合部を備え、
前記レンズカバーは、前記第１レンズカバーの移動により前記第２レンズカバーが押圧されて移動するための第２係合部を備えていることを特徴とするプロジェクター。
【請求項４】
請求項１〜請求項３のいずれか一項に記載のプロジェクターであって、
前記リンク部材は、
回動軸に支持されて回動するリンク部材本体と、
前記第１係合部を備えると共に、前記リンク部材本体の回動に従動し、前記リンク部材本体に対して移動する移動部と、
を備えていることを特徴とするプロジェクター。
【請求項５】
請求項４に記載のプロジェクターであって、
前記移動部の前記第１係合部は、前記開放状態、および/または前記開口部が閉塞した閉塞状態において、前記リンク部材本体に対して最大に外側に移動することを特徴とするプロジェクター。
【請求項６】
請求項５に記載のプロジェクターであって、
前記リンク部材は、前記リンク部材本体と前記移動部との間に付勢力を発生する付勢部材を備えていることを特徴とするプロジェクター。
【請求項７】
請求項１〜請求項６のいずれか一項に記載のプロジェクターであって、
前記外装筐体に対して移動して前記リンク部材を回動させる操作部材を備えていることを特徴とするプロジェクター。
【請求項８】
請求項７に記載のプロジェクターであって、
前記操作部材は、前記レンズカバーの移動方向に対して逆方向に移動することを特徴とするプロジェクター。
【請求項９】
請求項７または請求項８に記載のプロジェクターであって、
前記リンク部材は、前記回動軸に回動可能に支持され、
前記リンク部材と前記操作部材とは、前記操作部材の移動により前記リンク部材が回動するための第３係合部を備え、
前記第１係合部および前記第３係合部はそれぞれ軸部を有し、
前記軸部は、前記回動軸を中心とする前記軸部どうしの成す角度θが、９０°＜θ＜２７０°となるように設置されていることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光を投写レンズで投写するプロジェクターが知られている。このようなプロジェクターは、投写レンズの保護を目的として、投写レンズの前部にレンズカバーが設置されている。なお、レンズカバーは、自動または手動により、投写レンズから投写された光を通過させる開口部に対し、開口部を開閉するように構成されたものがある。
【０００３】
特許文献１では、開口部の上側部分を上下に開閉可能な上レンズカバーと、開口部の下側部分を上下に開閉可能な下レンズカバーと、上レンズカバーおよび下レンズカバーを同じ方向に移動させて開口部を開閉するための開閉リンクと、開閉リンクによって開口部を開いたときに、開いた状態を維持する方向に開閉リンクを付勢し、開口部を閉じたときに、閉じた状態を維持する方向に開閉リンクを付勢する線バネとを有するレンズカバー機構が開示されている。
【０００４】
特許文献２では、投写レンズを収納し、投写レンズから射出された光が通過する投写用開口部を有する外装筐体と、投写用開口部を開閉するレンズカバーと、を備え、レンズカバーは、第１カバーおよび第２カバーを有し、第１カバーおよび第２カバーは、スライド移動により投写用開口部を開閉し、投写用開口部が開放される開放状態において、積層して収納されるように構成されるプロジェクターが開示されている。
【０００５】
また、近年、外部の装置から無線により送信された映像信号を受信する受信機を備えたプロジェクターや、投写した画像を撮像するカメラを備えたプロジェクター等が知られてきている。なお、以降では、受信機やカメラ等の装置を総称して機能装置と呼称する。
特許文献３では、映像信号を出力する映像信号出力装置と、映像信号出力装置により出力された映像信号を無線で送信する送信機と、送信機により送信された映像信号を受信する受信機と、受信機により受信した映像信号に基づいて映像を表示する投写型映像表示装置と、を備える映像表示システムが開示されている。
【先行技術文献】
【特許文献】
【０００６】
【特許文献１】特開２０１０−１４５６５２号公報
【特許文献２】特開２０１２−１９４２２７号公報
【特許文献３】特開２０１０−７４６７１号公報
【発明の概要】
【発明が解決しようとする課題】
【０００７】
しかしながら、特許文献１では、上レンズカバー、下レンズカバー、および開閉リンクが重なる構成であるため、重なり方向の厚さが厚くなるという課題がある。また、特許文献２では、レンズカバーをスライド移動させる駆動源にモーターおよびギヤを使用しており、構造が複雑になりやすいという課題がある。
また、プロジェクターのレンズカバーは、耐熱性を向上させるためにアルミ箔を貼着する場合がある。そして、プロジェクターに受信機を備える場合、受信機は、通常、投写レンズ用の開口部を設けた側面に設置される。この場合、開口部を開放させたレンズカバーの近傍に受信機が設置されていると、アルミ箔がシールドとなり、受信性能が低下するという課題がある。また、プロジェクターにカメラを備える場合、受信機と同様に、投写レンズ用の開口部を設けた側面に設置されるため、開口部を開放させたレンズカバーの領域には設置できないという課題がある。このため、機能装置を備えたプロジェクターは、機能装置の設置位置が制限されるため、小型化が図りづらいという課題がある。
従って、開口部を開閉する構成が簡易で、小型化や薄型化が図れるレンズカバー機構を備えると共に、機能装置の設置位置の自由度を向上させるプロジェクターが要望されていた。
【課題を解決するための手段】
【０００８】
本発明は、上述した課題の少なくとも一部を解決するためになされたものであり、以下の形態または適用例として実現することが可能である。
【０００９】
［適用例１］本適用例に係るプロジェクターは、光源装置から射出された光を画像情報に応じて変調し、変調した光を投写レンズで投写するプロジェクターであって、光源装置および投写レンズを収容すると共に、投写レンズから投写される光を通過させる開口部を有する外装筐体と、開口部を開閉するレンズカバー機構と、を備え、レンズカバー機構は、第１レンズカバーと第２レンズカバーとを有し、移動して開口部を開閉するレンズカバーと、回動してレンズカバーを移動させるリンク部材と、レンズカバーの移動とリンク部材の回動とを案内する案内部材と、を備え、リンク部材の回動により第１レンズカバーが移動し、第１レンズカバーの移動により第２レンズカバーが移動することで開口部を開閉し、開口部が開放された開放状態において、第１レンズカバーと第２レンズカバーとは重なることを特徴とする。
【００１０】
このようなプロジェクターによれば、外装筐体とレンズカバー機構とを備え、レンズカバー機構は、レンズカバー（第１レンズカバー、第２レンズカバー）とリンク部材と案内部材とを備えている。そして、リンク部材の回動により第１レンズカバーが移動し、第１レンズカバーの移動により第２レンズカバーが移動することにより、開口部を開閉する。これにより、リンク部材、レンズカバー、および案内部材という簡易な構成で開口部を開閉するレンズカバー機構を実現することができる。
【００１１】
また、レンズカバーは、第１レンズカバーと第２レンズカバーとの２つで構成されており、開口部が開放された場合には、第１レンズカバーと第２レンズカバーとが重なることにより、レンズカバーの退避（または収容）に要するスペースを小さくすることができる。従って、開口部が開放された際のレンズカバーの小型化を図ることができる。これにより、機能装置の設置位置の自由度を向上させることができる。
【００１２】
［適用例２］上記適用例に係るプロジェクターにおいて、開放状態で、リンク部材とレンズカバーとは、開口部の両側に位置していることが好ましい。
【００１３】
このようなプロジェクターによれば、リンク部材をレンズカバーに重ねる必要がなく、平面的に並べて設置する構成とすることができるため、投写レンズの光軸方向に対するリンク部材やレンズカバーの厚さを薄くすることができる。従って、レンズカバー機構の薄型化を図ることができる。
【００１４】
［適用例３］上記適用例に係るプロジェクターにおいて、リンク部材と第１レンズカバーとは、リンク部材の回動により第１レンズカバーが移動するための第１係合部を備え、レンズカバーは、第１レンズカバーの移動により第２レンズカバーが押圧されて移動するための第２係合部を備えていることが好ましい。
【００１５】
このようなプロジェクターによれば、第１係合部を備えることで、リンク部材の回動で第１レンズカバーを移動させ、また、第２係合部を備えることで、第１レンズカバーの移動により第２レンズカバーが押圧されて移動する。これにより、リンク部材の回動で第１レンズカバーと第２レンズカバーとを移動させる構成の簡素化や、開口部を開閉する際の操作性の向上を図ることができる。
【００１６】
［適用例４］上記適用例に係るプロジェクターにおいて、リンク部材は、回動軸に支持されて回動するリンク部材本体と、第１係合部を備えると共に、リンク部材本体の回動に従動し、リンク部材本体に対して移動する移動部と、を備えていることが好ましい。
【００１７】
このようなプロジェクターによれば、リンク部材は、リンク部材本体と移動部とを備えることにより、リンク部材本体が回動軸に支持されて回動すると、第１係合部を備える移動部は、その回動に従動してリンク部材本体に対して移動する。これにより、リンク部材を小型化することができる。
【００１８】
［適用例５］上記適用例に係るプロジェクターにおいて、移動部の第１係合部は、開放状態、および/または開口部が閉塞した閉塞状態において、リンク部材本体に対して最大に外側に移動することが好ましい。
【００１９】
このようなプロジェクターによれば、リンク部材が回動する場合、移動部の第１係合部は、開放状態および/または閉塞状態で、リンク部材本体に対して最大に外側に移動する。この動作により、リンク部材の回動を効率的に第１レンズカバーの直線状の移動に変換させることが可能となる。
【００２０】
［適用例６］上記適用例に係るプロジェクターにおいて、リンク部材は、リンク部材本体と移動部との間に付勢力を発生する付勢部材を備えていることが好ましい。
【００２１】
このようなプロジェクターによれば、リンク部材本体の回動による力を、移動部の移動する力として効率的に伝達することができる。
【００２２】
［適用例７］上記適用例に係るプロジェクターにおいて、外装筐体に対して移動してリンク部材を回動させる操作部材を備えていることが好ましい。
【００２３】
このようなプロジェクターによれば、外装筐体に対して移動してリンク部材を回動させる操作部材を設けることで、容易に開口部を開閉させることができる。
【００２４】
［適用例８］上記適用例に係るプロジェクターにおいて、操作部材は、レンズカバーの移動方向に対して逆方向に移動することが好ましい。
【００２５】
このようなプロジェクターによれば、操作部材を操作した場合、操作部材の移動方向とは逆方向にレンズカバーを移動させる。なお、従来は、操作部材を操作した場合、操作部材と同じ方向にレンズカバーを移動させている。この構成により、機能装置の投写レンズに対する設置位置によらず、ユーザーが開口部を開放させる際の操作部材の移動方向および閉塞させる際の操作部材の移動方向を従来と同様とすることができる。従って、機能装置の設置位置の自由度を向上させると共に、操作方法を従来と同様とさせる（操作方法を従来と統一させる）ことで、ユーザビリティーを向上させることができる。
【００２６】
［適用例９］上記適用例に係るプロジェクターにおいて、リンク部材は、回動軸に回動可能に支持され、リンク部材と操作部材とは、操作部材の移動によりリンク部材が回動するための第３係合部を備え、第１係合部および第３係合部はそれぞれ軸部を有し、軸部は、回動軸を中心とする軸部どうしの成す角度θが、９０°＜θ＜２７０°となるように設置されていることが好ましい。
【００２７】
このようなプロジェクターによれば、回動軸を中心とする軸部どうしの成す角度θが、９０°＜θ＜２７０°となるように軸部を設置する構造とすることにより、操作部材の移動方向とレンズカバーの移動方向とを逆方向とさせる構造を、簡易な構造で実現することができる。また、角度θが９０°＜θ＜２７０°となるように軸部を設置することにより、操作部材の移動する力を、効率的に、レンズカバーを移動させる力として変換することができる。また、上述した移動部を有するリンク部材を用いることにより、リンク部材の小型化を図ることができると共に、操作部材の移動する力を更に効率的にレンズカバーを移動させる力に変換することができる。
【図面の簡単な説明】
【００２８】
【図１】第１実施形態に係るプロジェクターの外観斜視図。
【図２】レンズカバー機構を示す斜視図。
【図３】レンズカバー機構を示す分解斜視図。
【図４】レンズカバー機構を示す分解斜視図。
【図５】レンズカバー機構の側面と断面を示す図。
【図６】レンズカバー機構の動作を示す斜視図。
【図７】第２実施形態に係るレンズカバー機構を示す斜視図。
【図８】レンズカバー機構を示す分解斜視図。
【図９】レンズカバー機構を示す分解斜視図。
【図１０】レンズカバー機構を示す断面図。
【図１１】レンズカバーが開放状態と閉塞状態との中間に位置している状態を示す斜視図。
【図１２】レンズカバーが開放状態に位置している状態を示す斜視図。
【発明を実施するための形態】
【００２９】
以下、実施形態を図面に基づいて説明する。
〔第１実施形態〕
【００３０】
図１は、第１実施形態に係るプロジェクター１の外観斜視図であり、図１（ａ）は、レンズカバー機構１００の開放状態を示す斜視図であり、図１（ｂ）は、レンズカバー機構１００の閉塞状態を示す斜視図である。なお、図１では、プロジェクター１の投写レンズ１５を中心とした前面部分の外観を示している。
【００３１】
図１を含め、以降に示す図では、説明の便宜上、ＸＹＺ直交座標系を併記して、適宜使用する。ＸＹＺ直交座標系は、プロジェクター１からの画像光の投写方向をＺ軸（＋Ｚ方向）とする。そして、Ｚ軸に直交し、水平（左右）方向をＸ軸（投写レンズ１５の先端面に相対して見た場合の右方向が＋Ｘ方向）とし、Ｚ軸とＸ軸とに直交する垂直（上下）方向をＹ軸（投写レンズ１５の先端面に相対して見た場合の上方向を＋Ｙ方向）とする。
【００３２】
図１を参照して、プロジェクター１の外観的な構成を説明する。
プロジェクター１は、光源装置、光変調装置（いずれも図示省略）、および投写レンズ１５等の光学系を備えている。そして、プロジェクター１は、外部から入力される画像情報に応じて、光源装置から射出された光を光変調装置で変調し、変調された光（画像光）を投写レンズ１５で拡大してスクリーン等に投写する。なお、プロジェクター１の光学系の構成の説明は省略する。
【００３３】
図１に示すように、プロジェクター１は、概直方体となる外装筐体１０で覆われている。外装筐体１０の内部には、光学系、電気回路系、および冷却系等を構成する構成部材を収容している。外装筐体１０は、上ケース１１、下ケース１２、および背面ケース（図示省略）で概ね構成されている。上ケース１１は、外装筐体１０の上面１０ａ、前面１０ｃ、右面１０ｄの上側（＋Ｙ側）、および左面１０ｅの上側を構成している。下ケース１２は、外装筐体１０の下面１０ｂ、右面１０ｄの下側（−Ｙ側）、および左面１０ｅの下側を構成している。背面ケースは、外装筐体１０の背面（図示省略）を構成している。
【００３４】
図１（ａ）に示すように、上ケース１１の前面１０ｃには、内部に収容する投写レンズ１５に相対して、投写レンズ１５から投写される光を通過させる開口部１１１を備えている。また、投写レンズ１５と開口部１１１との間には、開口部１１１を開閉するレンズカバー機構１００を備えている。
【００３５】
レンズカバー機構１００は、詳細は後述するが、開口部１１１に相対して概同形状で開口する開口部５０１を有する案内部材５を備えている。この案内部材５は、案内部材５と前面１０ｃ（開口部１１１）との間に設置されてレンズカバー機構１００を構成するレンズカバー２を案内し、レンズカバー２が移動することにより、開口部５０１を開閉させる。なお、レンズカバー機構１００は、案内部材５の開口部５０１を開閉することで、相対して設置される外装筐体１０の開口部１１１を開閉させる。
【００３６】
また、同様に、レンズカバー機構１００を構成し、案内部材５に案内されてレンズカバー２を移動させるリンク部材３が、開口部５０１の左側（−Ｘ側）に設置されている。従って、レンズカバー機構１００は、リンク部材３がレンズカバー２を移動させて案内部材５の開口部５０１を開閉することにより、開口部１１１を開閉する。
レンズカバー機構１００の構成および動作に関しての詳細は後述する。
【００３７】
開口部１１１の右側（＋Ｘ側）で、右面１０ｄとの間には、矩形状の透明な窓部１１２が設置され、窓部１１２に相対して上ケース１１の内部には、機能装置としてのカメラ１８が設置されている。カメラ１８は、本実施形態では、ＣＭＯＳカメラで構成され、投写面（スクリーン等）に投写された画像を、窓部１１２を介して撮像する。なお、カメラ１８により取り込まれた画像は、制御装置（図示省略）の制御により、台形補正用のデータとして使用され、台形補正が行われる。
【００３８】
窓部１１２の上側には、矩形状の受光窓１１３が設置され、受光窓１１３に相対して上ケース１１の内部には、機能装置としての受光装置１９が設置されている。受光装置１９は、外部のリモートコントローラー（図示略）から発せられた光信号を受信し、受信した光信号に対応する信号を制御装置（図示省略）に送信する。なお、制御装置は、受信した信号に応じて、内部の構成部材の動作を制御する。
【００３９】
上ケース１１の開口部１１１の上側となる上面１０ａには、レンズカバー２をスライド移動させる際（リンク部材３を回動させる際）に把持する把持部４１０を露出させ、左右方向（Ｘ軸方向）へのスライド移動を可能とするスライド用開口部１１４を備えている。
【００４０】
スライド用開口部１１４の後方には、投写レンズ１５に設置されるフォーカスレバー１６やズームレバー１７を露出させ、投写画像のフォーカス調整やサイズ調整を可能とする調整用開口部１１５を備えている。また、上ケース１１の上面１０ａには、操作入力を行うキースイッチ（図示省略）を複数有したスイッチ部（図示省略）を備えている。
【００４１】
図示省略するが、背面ケースには、電源端子を含む接続端子群等を備えている。電源端子は、電源ケーブルを接続することで、プロジェクター１に外部からＡＣ１００Ｖ等の商用電源を供給する。接続端子群には、電源端子以外に、外部機器と接続ケーブルを介して接続される複数の接続端子が設置されている。
【００４２】
外装筐体１０の右面１０ｄには、プロジェクター１の内部を冷却するための外気を取り込む吸気口１１６が設置されている。そして、前面１０ｃには、プロジェクター１内部の温まった空気を排出する排気口１１７が設置されている。下ケース１２の下面１０ｂには、プロジェクター１の本体を支える３つの脚部１１８が設置されている。脚部１１８は、前面１０ｃ側に１つ、背面側に２つ備えている。
【００４３】
図１（ａ）に示すように、開口部５０１（開口部１１１）を開放した状態（開放状態）では、把持部４１０は、スライド用開口部１１４の左側（−Ｘ側）端部に位置している。また、図１（ｂ）に示すように、開口部５０１（開口部１１１）を閉塞した状態（閉塞状態）では、把持部４１０は、スライド用開口部１１４の右側（＋Ｘ側）端部に位置している。
【００４４】
また、レンズカバー２は、詳細は後述するが、２体（第１レンズカバー２１、第２レンズカバー２２）で構成されている。そして、図１（ａ）に示すように、レンズカバー２は、開放状態では、開口部５０１の右側に、互いに重なる状態で収納される。なお、カメラ１８と受光装置１９とは、この重なったレンズカバー２の右側に設置されている。また、図１（ｂ）に示すように、レンズカバー２は、閉塞状態では、開口部５０１の左側を第１レンズカバー２１が覆い、右側を第２レンズカバー２２が覆う状態で開口部５０１を閉塞する。
【００４５】
図２は、レンズカバー機構１００を示す斜視図であり、図２（ａ）は、レンズカバー機構１００をプロジェクター１の前面１０ｃ側から見た斜視図であり、図２（ｂ）は、レンズカバー機構１００をプロジェクター１の背面側から見た斜視図である。図３、図４は、レンズカバー機構１００を示す分解斜視図である。詳細には、図３は、レンズカバー機構１００をプロジェクター１の前面１０ｃ側から見た分解斜視図である。図４は、レンズカバー機構１００をプロジェクター１の背面側から見た分解斜視図である。なお、図２〜図４は、レンズカバー機構１００が開口部１１１を閉塞した閉塞状態を示している。
図２〜図４を参照して、レンズカバー機構１００の構成を説明する。
【００４６】
図２〜図４に示すように、レンズカバー機構１００は、レンズカバー２、リンク部材３、操作部材４、および案内部材５を備えて構成されている。案内部材５は、操作部材４を直線状にスライドする往復移動を可能に案内し、リンク部材３を円状にスライドする回動を可能に案内し、レンズカバー２を直線状にスライドする往復移動を可能に案内する。
【００４７】
レンズカバー機構１００は、操作部材４を移動させると、操作部材４に係合するリンク部材３が回動し、リンク部材３が回動することにより、リンク部材３に係合するレンズカバー２が移動する。このレンズカバー機構１００の動作により、案内部材５の開口部５０１を開閉することで、外装筐体１０の開口部１１１を開放状態と閉塞状態とにする。
【００４８】
案内部材５は、概矩形状の板状に形成される案内部材本体５００を有している。案内部材本体５００の略中央部には、開口部５０１（図２（ｂ））が形成されている。開口部５０１は、投写レンズ１５と上ケース１１の開口部１１１とに相対し、概矩形状に形成されている。投写レンズ１５から射出された画像光は、開口部５０１と開口部１１１とを通過してスクリーン等に投写される。
【００４９】
案内部材本体５００には、前側（＋Ｚ側）および後側（−Ｚ側）に所定の傾斜角度で延出し、操作部材４の移動方向となる左右方向（Ｘ軸方向）に延びる操作案内部５１０が形成されている。この傾斜角度は、相対する上ケース１１の内面に沿った角度となっている。この操作案内部５１０には、後述する操作部材４が設置される。なお、操作案内部５１０は、左側端部から所定の長さで、前側が切り欠かれている。なお、この切り欠かれた領域には、操作部材４のスライド用突出部４３０が位置する。操作案内部５１０の前側端部には、Ｘ-Ｚ平面に平行な上面５１１が端部に沿って形成されている。また、後側端部にも、Ｘ-Ｚ平面に平行な上面５１２が端部に沿って形成されている。
【００５０】
操作案内部５１０の左端部の下側には、筒状の収容部５１４が後側に突出して形成されている。収容部５１４には、金属製の球Ｂ１と球Ｂ１を押圧するバネＳ１とが挿入される。この球Ｂ１とバネＳ１とが、操作案内部５１０に設置される操作部材４を後側から押圧し、操作部材４に形成された後述する２つの溝部４５０に球Ｂ１が入り込むことで、操作部材４の操作が開始または終了した際のクリック感を発生させる。また、２つの溝部４５０に球Ｂ１が入り込むことで、操作部材４の位置を固定して開放状態および閉塞状態を維持する。
【００５１】
案内部材本体５００の開口部５０１の左側（−Ｘ側）には、筒状の回動軸５２０が前側に突出して形成されている。この回動軸５２０には、後述するリンク部材３が設置され、回動軸５２０を中心としてリンク部材３を回動可能とさせる。回動軸５２０の下側には、回動軸５２０を中心として円弧状に案内孔５２１が形成されている。案内孔５２１は、リンク部材３の案内突起３４０を挿通させて、リンク部材３が回動する際の回動方向の案内と回動範囲を規制する。
【００５２】
案内部材本体５００の下端部近傍には、左右方向（Ｘ軸方向）に平行に延びる２つの突出部（上側の突出部５３０、下側の突出部５３１）が形成されている。また、下側の突出部５３１の概中央部には、前側に突出して上側に延びる案内片５３２が形成されている。また、開口部５０１の上側（＋Ｙ側）で操作案内部５１０の下側（−Ｙ側）には、左右方向（Ｘ軸方向）に延びる案内孔５３３が形成されている。後述するレンズカバー２の第１レンズカバー２１は、この突出部５３０，５３１、案内片５３２、案内孔５３３に保持および案内されて、左右方向（Ｘ軸方向）に移動可能となる。
【００５３】
案内部材本体５００の下側（−Ｙ側）で、上側の突出部５３０の上側には、この突出部５３０に平行に更に突出部５４０が形成されている。また、この突出部５４０の右側の上側には、突出部５４０の右端部の一部を切り欠き、左右方向（Ｘ軸方向）に延びる案内孔５４１が形成されている。後述するレンズカバー２の第２レンズカバー２２は、この突出部５４０と案内孔５４１とに保持および案内されて、左右方向（Ｘ軸方向）に移動可能となる。
【００５４】
案内部材本体５００の後面には、図２（ｂ）、図４に示すように、案内孔５３３の右端部の下側に、後述する検出スイッチ７を固定するスイッチ固定部５５０が形成されている。検出スイッチ７は、一方のリード片が案内孔５３３の右端部近傍に位置するように、スイッチ固定部５５０に固定される。そして、一方のリード片は、案内孔５３３に挿通されて摺動する第１レンズカバー２１の片部２１３０（図４）の右端部と当接する。
【００５５】
検出スイッチ７は、レンズカバー２が開放状態に遷移したことを検出するスイッチである。検出スイッチ７は、２つのリード片を有し、ケーブル（図示省略）を介して制御部に接続されている。検出スイッチ７は、一方のリード片が他方のリード片を押圧して２つのリード片が接触する状態と、一方のリード片が押圧されて他方のリード片と離間する状態と、を有している。
【００５６】
検出スイッチ７は、本実施形態では、レンズカバー２が開放状態となった場合に、第１レンズカバー２１の片部２１３０により、一方のリード片が押圧されて、他方のリード片と離間する状態となる。検出スイッチ７は、この状態を開放状態に遷移したことを示す信号として検出する。
【００５７】
操作部材４は、図２〜図４に示すように、概矩形状の板状に形成される操作部材本体４００を有している。操作部材本体４００は、操作案内部５１０の傾斜角度に沿って左右方向（Ｘ軸方向）に延びる略平坦面となる傾斜面が形成されている。操作部材本体４００の右端部には、上方に突出する把持部４１０が形成されている。把持部４１０は、操作部材本体４００を左右方向に移動させる際に、ユーザーが把持してスライドさせる部分である。
【００５８】
操作部材本体４００の後側端部には、図４に示すように、下側（−Ｙ側）に突出する後側突出部４２０が形成されている。また、後側突出部４２０の左右端部には、後側突出部４２０に曲折して前側に突出する保持用片部４２１（右側の保持用片部４２１ａ、左側の保持用片部４２１ｂ（図５（ａ）））が形成されている。また、左側の保持用片部４２１ｂに相対して、後述するスライド用突出部４３０から後側に突出する保持用片部４２１ｃ（図４）も形成されている。また、操作部材本体４００の前側端部には、下側（−Ｙ側）に突出する前側突出部４２２が形成されている。
【００５９】
操作部材本体４００の左端部には、前後方向（Ｚ軸方向）の略中央部で、下側に突出して左側に延びる板状のスライド用突出部４３０が形成されている。スライド用突出部４３０の前側には、前側に突出し、左右方向に延びる保持用突出部４３１が形成される。
【００６０】
この保持用突出部４３１の中ほどには、前側に突出する円柱状の軸部が形成されている。なお、この軸部を、以降では、第３軸部４４０と呼称する。なお、第３軸部４４０は、後述する第３係合部Ａ３を構成する。
【００６１】
スライド用突出部４３０の後側の左右端部近傍には、図４に示すように、内面側に一つの曲面で上下方向に延びる溝部４５０（右側の溝部４５０ａ、左側の溝部４５０ｂ）が、それぞれ形成されている。
【００６２】
リンク部材３は、概扇状のリンク部材本体３００を有し、回動するための回動孔部３１０が形成されている。回動孔部３１０の外周には溝部３１１が形成されている。回動孔部３１０を中心として、リンク部材本体３００から両側に延出する形態で、軸受孔部３２０と軸部（図４）とが、平面視で直線状に位置している。なお、この軸部を、以降では、第１軸部３３０（図４）と呼称する。なお、第１軸部３３０は、後述する第１係合部Ａ１を構成する。
【００６３】
軸受孔部３２０は、長孔形状を有して回動孔部３１０に向けて形成されている。軸受孔部３２０は、操作部材４の第３軸部４４０を摺動可能に挿通する。なお、軸受孔部３２０は、第３係合部Ａ３を構成する。
【００６４】
第１軸部３３０は、後面で円柱状に突出して形成されている。なお、この第１軸部３３０の先端には、後述する第１レンズカバー２１の軸受部２１２０と摺動可能で、軸受部２１２０から外れないように固定する固定片３３１が延出して形成されている。
また、リンク部材本体３００の後面には、円柱状に突出する案内突起３４０が形成されている。
【００６５】
レンズカバー２は、第１レンズカバー２１と第２レンズカバー２２との２つで構成されている。
第２レンズカバー２２は、矩形の板状に形成されるカバー本体２２００を有する。カバー本体２２００は、前側および後側の面は平坦面で形成され、後面には、カバー本体２２００の外形と相似形状のアルミ箔ＡＬ２が貼着されている。
【００６６】
第２レンズカバー２２は、カバー本体２２００の下端部から下側（−Ｙ側）に延びると共に、左側（−Ｘ側）に延出する第２スライド部２２１０が形成されている。また、第２スライド部２２１０の左端部には、前側に突出する突出部２２２０が形成されている。なお、突出部２２２０は、第２係合部Ａ２を構成する。
【００６７】
第２スライド部２２１０の上下端部には、図４に示すように、後側に突出して左側端部近傍まで延びる突出部（上側の突出部２２１２、下側の突出部２２１３）が、形成されている。また、下側の突出部２２１３の前後方向の略中央部から下側に延出し、左右方向に延びるスライド片２２１４が形成されている。また、カバー本体２２００の下端部の右側角部には、後側に延びて先端部が下側に延びた鍵状の片部２２１５が形成されている。
【００６８】
第１レンズカバー２１は、第２レンズカバー２２と略同様の形状を有している。第１レンズカバー２１は、矩形の板状に形成されるカバー本体２１００を有する。カバー本体２１００は、前側および後側の面は平坦面で形成され、後面には、カバー本体２１００の外形と相似形状のアルミ箔ＡＬ１が貼着されている。
【００６９】
第１レンズカバー２１は、カバー本体２１００の下端部から下側（−Ｙ側）に延びると共に、左側（−Ｘ側）に延出する第１スライド部２１１０が形成されている。また、第１スライド部２１１０の左端部に接続して上側（＋Ｙ側）に延びる軸受部２１２０が形成されている。
【００７０】
第１スライド部２１１０は、後述する第２レンズカバー２２の第２スライド部２２１０の前側を覆う形状となっている。また、第１スライド部２１１０の略中央部から左側端部近傍には、第２レンズカバー２２の移動を案内する案内孔部２１１１が形成されている。なお、案内孔部２１１１は、第２係合部Ａ２を構成する。
【００７１】
また、第１スライド部２１１０の上下端部には、図４に示すように、後側に突出する突出部（上側の突出部２１１２、下側の突出部２１１３）が形成されている。また、下側の突出部２１１３の前後方向の略中央部から下側に延出し、左右方向に延びるスライド片２１１４が形成されている。
【００７２】
軸受部２１２０は、上下方向に延びる矩形状の孔を有し、リンク部材３の第１軸部３３０を案内する軸受孔部２１２１が形成されている。軸受部２１２０には、軸受孔部２１２１の前側で、軸受孔部２１２１の左側を一部覆い、リンク部材３の固定片３３１を摺動可能に保持する保持部２１２２が形成されている。軸受部２１２０（軸受孔部２１２１）は、リンク部材３の第１軸部３３０を摺動可能に挿通する。なお、軸受孔部２１２１は、第１係合部Ａ１を構成する。
【００７３】
軸受部２１２０には、下端部から後側に延びて更に上側に曲折する片部２１２３が形成されている。片部２１２３は、第１レンズカバー２１の移動時に第１レンズカバー２１を案内部材５に保持する部分である。
【００７４】
第１レンズカバー２１は、カバー本体２１００の上端部の略中央部から後側に延びる片部２１３０が形成されている。片部２１３０は、検出スイッチ７の一方のリード片に当接して押圧する。
【００７５】
なお、本実施形態において、第１係合部Ａ１は、リンク部材３の第１軸部３３０と、第１レンズカバー２１の軸受孔部２１２１とで構成される。第２係合部Ａ２は、第１レンズカバー２１の案内孔部２１１１と、第２レンズカバー２２の突出部２２２０とで構成される。第３係合部Ａ３は、操作部材４の第３軸部４４０と、リンク部材３の軸受孔部３２０とで構成される。
【００７６】
次に、レンズカバー機構１００の組立て方法に関して説明する。
図５は、レンズカバー機構１００の側面と断面を示す図であり、図５（ａ）は、レンズカバー機構１００を左端部から見た側面図であり、図５（ｂ）は、レンズカバー機構１００を右端部から見た断面図である。なお、図５は、レンズカバー２が閉塞状態に位置する状態での図である。
図２〜図５を参照して、レンズカバー機構１００の組立て方法を説明する。
【００７７】
最初に、第２レンズカバー２２を案内部材５に設置する。
第２レンズカバー２２を案内部材５に設置する場合、案内部材５（案内孔５４１）の右端部の切り欠きに第２レンズカバー２２の片部２２１５を前側から挿入する。併せて、図５（ｂ）に示すように、第２レンズカバー２２の２つの突出部２２１２，２２１３を、案内部材５の突出部５４０の上下方向を挟んで覆うように設置する。この設置により、第２レンズカバー２２は、突出部５４０と案内孔５４１（詳細には、案内孔５４１下端部に位置する案内部材本体５００の後面）とに保持および案内されて、左右方向（Ｘ軸方向）に移動可能となる。
【００７８】
次に、第１レンズカバー２１を案内部材５に設置する。
第１レンズカバー２１を案内部材５に設置する場合、案内部材５の２つの突出部５３０，５３１の間に沿うように第１レンズカバー２１の突出部２１１３を挿入し、案内部材５の操作案内部５１０の左側の切り欠かれた領域に、第１レンズカバー２１の片部２１３０が位置するように設置する。
【００７９】
次に、第１レンズカバー２１を右方向（＋Ｘ方向）に移動させる。このとき、図５に示すように、第１レンズカバー２１の片部２１２３が案内部材５の左端部の後面に当接するように移動させる。また、第１レンズカバー２１の第１スライド部２１１０の後面を第２レンズカバー２２の突出部２２２０に当接させて移動させる。この場合、第１レンズカバー２１は、弾性変形して移動し、第２レンズカバー２２の突出部２２２０が、第１レンズカバー２１の案内孔部２１１１に挿通される。
【００８０】
この状態で、第１レンズカバー２１の第１スライド部２１１０は、第２レンズカバー２２の第２スライド部２２１０の前面と重なる（覆う）状態となる。また、第１レンズカバー２１のカバー本体２１００の右側縁部が、第２レンズカバー２２のカバー本体２２００の左側縁部と重なる状態となる。
【００８１】
また、この状態では、図５（ｂ）に示すように、第１レンズカバー２１のスライド片２１１４が、案内部材５の案内片５３２と突出部５３１とに挟まれる。また、第１レンズカバー２１の片部２１３０が、案内部材５の案内孔５３３に案内された状態となる。以上の組立てにより、第１レンズカバー２１が案内部材５に設置され、左右方向（Ｘ軸方向）に移動可能となる。
【００８２】
次に、操作部材４を案内部材５に設置する。
操作部材４を案内部材５に設置する場合、図５（ａ）に示すように、操作部材４（操作部材本体４００、後側突出部４２０、前側突出部４２２、保持用片部４２１）が案内部材５の操作案内部５１０を挟み込むように、操作案内部５１０の左端部から右端部に向けて挿入する。これにより、操作部材４は、操作案内部５１０に対して左右方向（直線状）にスライドする往復移動が可能となる。
【００８３】
把持部４１０を把持したユーザーの操作により、操作部材４が、操作案内部５１０を移動する際には、図５（ｂ）に示すように、操作部材本体４００の内面と前側突出部４２２の下面とが、相対する操作案内部５１０の上面５１１，５１２に当接してスライドする。また、操作部材４が、操作案内部５１０を移動する際には、図５（ａ）に示すように、操作部材４のスライド用突出部４３０の下端部が案内部材本体５００の上端面５０２の後側に位置すると共に、保持用突出部４３１の下面が上端面５０２の面に当接してスライドする。
【００８４】
また、案内部材５の収容部５１４に収容された球Ｂ１は、スライド用突出部４３０（操作部材４）の後側に形成された２つの溝部４５０を左右方向に結ぶ直線状に位置して、スライド用突出部４３０を前側に押圧する。従って、スライド用突出部４３０の下端部は、球Ｂ１（バネＳ１）により前側に押圧され、案内部材本体５００の上端面５０２の後側に当接しながらスライドする。
【００８５】
次に、リンク部材３を案内部材５に設置する。
リンク部材３を案内部材５に設置する場合、案内部材５に操作部材４と第１レンズカバー２１を設置した状態で行う。詳細には、案内部材５に設置した操作部材４の第３軸部４４０と、第１レンズカバー２１の軸受孔部２１２１とが、案内部材５の回動軸５２０を中心として上下方向（垂直方向）に位置するように操作部材４と第１レンズカバー２１とを移動させる。
【００８６】
次に、リンク部材３の第１軸部３３０を軸受孔部２１２１の上側から、内部に挿入する。このとき、リンク部材３の固定片３３１が、軸受部２１２０の保持部２１２２を内側から当接するように挿入する。次に、リンク部材３の回動孔部３１０が案内部材５の回動軸５２０を挿通し、リンク部材３の軸受孔部３２０が操作部材４の第３軸部４４０を挿通するように設置する。次に、リンク部材３の溝部３１１にワッシャーＷ１を挿入し、挿入したワッシャーＷ１を介してネジＳＣ１を回動軸５２０の孔部に螺合させる。これにより、リンク部材３は、回動軸５２０を中心として、円状にスライドする回動が可能となる。
以上の組立てにより、レンズカバー機構１００の組立てが完了する。
【００８７】
なお、上述したように、第３係合部Ａ３は、操作部材４の第３軸部４４０と、リンク部材３の軸受孔部３２０とで構成されている。この第３係合部Ａ３により、操作部材４を左右方向に移動させることで、第３軸部４４０が軸受孔部３２０を摺動し、操作部材４の移動による力をリンク部材３に伝達する。これにより、リンク部材３が回動軸５２０を中心に回動する。詳細には、操作部材４を左方向（−Ｘ方向）に移動させた場合、リンク部材３は、反時計回りに回転する。また、操作部材４を右方向（＋Ｘ方向）に移動させた場合、リンク部材３は、時計回りに回転する。なお、案内部材５の案内孔５２１に挿通されたリンク部材３の案内突起３４０は、案内孔５２１に沿って摺動する。
【００８８】
また、上述したように、第１係合部Ａ１は、リンク部材３の第１軸部３３０と、第１レンズカバー２１の軸受孔部２１２１とで構成されている。この第１係合部Ａ１により、リンク部材３を回動させることで、第１軸部３３０が軸受孔部２１２１を摺動し、リンク部材３の回動による力を第１レンズカバー２１に伝達する。これにより、第１レンズカバー２１が左右方向に移動する。詳細には、リンク部材３を反時計回りに回転した場合、第１レンズカバー２１は、右方向に移動する。また、リンク部材３を時計回りに回転した場合、第１レンズカバー２１は、左方向に移動する。
【００８９】
なお、第１係合部Ａ１は、リンク部材３に第１軸部３３０を有し、第３係合部Ａ３は操作部材４に第３軸部４４０を有する。そして、本実施形態では、この第１軸部３３０と第３軸部４４０とは、回動軸５２０を中心とする軸部どうしの成す角度θが、略１８０°となるように設置されている。
【００９０】
また、上述したように、第２係合部Ａ２は、第１レンズカバー２１の案内孔部２１１１と、第２レンズカバー２２の突出部２２２０とで構成されている。この第２係合部Ａ２により、レンズカバー２は、第１レンズカバー２１が移動することで、第２レンズカバー２２が押圧されて移動する。
【００９１】
詳細には、レンズカバー２は、第１レンズカバー２１が右方向に移動する場合（開口部１１１を開口させる場合）、第２レンズカバー２２の突出部２２２０を、案内孔部２１１１の左端部で押圧することにより、第２レンズカバー２２を右方向に移動（押進）させる。また、第１レンズカバー２１が左方向に移動する場合（開口部１１１を閉塞させる場合）、第２レンズカバー２２の突出部２２２０を、案内孔部２１１１の右端部で押圧することにより、第２レンズカバー２２を左方向に移動（牽引）する。
【００９２】
図６は、レンズカバー機構１００の動作を示す斜視図であり、図６（ａ）は、レンズカバー２が開放状態と閉塞状態との中間に位置している状態を示す斜視図であり、図６（ｂ）は、レンズカバー２が開放状態に位置している状態を示す斜視図である。なお、図６は、レンズカバー機構１００を前側から見た斜視図で示している。
図２〜図６を参照して、レンズカバー機構１００の動作を説明する。
【００９３】
最初に、閉塞状態から開放状態に遷移する動作を説明する。
図２に示す閉塞状態から、図６（ｂ）に示す開放状態とするためには、ユーザーは、把持部４１０を把持して操作部材４を左方向に移動させる。その際、操作部材４の左方向への移動による力が、溝部４５０ｂに当接する球Ｂ１を押圧するバネＳ１の押圧力に勝った場合に、操作部材４が移動を開始する。
【００９４】
操作部材４が左方向に移動すると、第３係合部Ａ３の動作により、リンク部材３が反時計回りに回転する。リンク部材３が反時計回りに回転した場合、第１係合部Ａ１が動作して、第１レンズカバー２１が右方向に移動する。本実施形態では、このように、第１レンズカバー２１（レンズカバー２）は、操作部材４の移動方向に対して逆方向に移動する。
【００９５】
第１レンズカバー２１が右方向へ移動する場合、第２係合部Ａ２の動作により、第１レンズカバー２１の案内孔部２１１１は、第２レンズカバー２２の位置はそのままで、突出部２２２０を摺動させながら移動する。これにより、第２レンズカバー２２は、図６（ａ）に示すように、案内孔部２１１１の左端部が突出部２２２０に当接するまで、閉塞状態の位置を保つ。
【００９６】
従って、第１レンズカバー２１は、第２係合部Ａ２の動作により、第２レンズカバー２２の位置を閉塞状態での位置で維持し、右方向に移動する。そして、案内孔部２１１１の左端部が突出部２２２０に当接する際には、本実施形態では、第１レンズカバー２１のカバー本体２１００が、第２レンズカバー２２のカバー本体２２００の前側に移動し、カバー本体２１００，２２００どうしが重なる状態となる。
【００９７】
案内孔部２１１１の左端部が突出部２２２０に当接し、更に第１レンズカバー２１が右方向に移動した場合、第２係合部Ａ２の動作により、第２レンズカバー２２は、突出部２２２０が案内孔部２１１１に押圧されて、第１レンズカバー２１の移動に従動して右方向に移動する。この場合、第１レンズカバー２１（カバー本体２１００）と第２レンズカバー２２（カバー本体２２００）とは、重なった状態を維持したまま移動する。そして、図６（ｂ）に示すように、開口部５０１を開放した開放状態となる。これにより、図１（ａ）に示すように、開口部１１１が開放状態となる。
【００９８】
開放状態では、第１レンズカバー２１の片部２１３０が、検出スイッチ７の一方のリード片を押圧することにより、他方のリード片と離間する状態となる。これにより、検出スイッチ７は、開放状態に遷移したことを示す信号として検出する。
【００９９】
開放状態では、図６（ｂ）に示すように、第１レンズカバー２１のカバー本体２１００と、第２レンズカバー２２のカバー本体２２００とは、重なった状態で、開口部５０１の右側に位置する状態（レンズカバー２が退避した状態（または収容された状態））となる。また、開放状態では、図６（ｂ）に示すように、リンク部材３とレンズカバー２（カバー本体２１００、カバー本体２２００）とは、開口部５０１（開口部１１１）の両側に位置する状態となる。
【０１００】
開放状態では、球Ｂ１がバネＳ１に押圧されて、操作部材４に形成された溝部４５０ａに入り込むことで、クリック感を発生させると共に、操作部材４の位置を固定して開放状態を維持する。
【０１０１】
次に、開放状態から閉塞状態に遷移する動作を説明する。
図６（ｂ）に示す開放状態から、図２に示す閉塞状態とするには、ユーザーは、把持部４１０を把持して操作部材４を右方向に移動させる。その際、操作部材４の右方向への移動による力が、溝部４５０ａに当接する球Ｂ１を押圧するバネＳ１の押圧力に勝った場合に、操作部材４が移動を開始する。
【０１０２】
操作部材４が右方向に移動すると、第３係合部Ａ３の動作により、リンク部材３が時計回りに回転する。リンク部材３が時計回りに回転した場合、第１係合部Ａ１が動作して、第１レンズカバー２１が左方向に移動する。本実施形態では、上述したように、第１レンズカバー２１（レンズカバー２）は、操作部材４の移動方向に対して逆方向に移動する。
【０１０３】
また、操作部材４が右方向に移動すると、第１レンズカバー２１の片部２１３０が、検出スイッチ７の一方のリード片の押圧を解除することにより、一方のリード片が他方のリード片と当接して押圧した状態となる。これにより、検出スイッチ７は、開放状態を解除したことを示す信号として検出する。
【０１０４】
第１レンズカバー２１が左方向へ移動する場合、第２係合部Ａ２の動作により、第１レンズカバー２１の案内孔部２１１１は、第２レンズカバー２２の位置はそのままで、突出部２２２０を摺動させながら移動する。これにより、第２レンズカバー２２は、案内孔部２１１１の右端部が突出部２２２０に当接するまで、開放状態の位置を保つ。
【０１０５】
従って、第１レンズカバー２１は、第２係合部Ａ２の動作により、第２レンズカバー２２の位置を開放状態での位置で維持し、左方向に移動する。そして、案内孔部２１１１の右端部が突出部２２２０に当接する際には、カバー本体２１００，２２００どうしの重なりを解除する状態となる。なお、カバー本体２１００の右側縁部とカバー本体２２００の左側縁部とは重なった状態となる。
【０１０６】
案内孔部２１１１の右端部が突出部２２２０に当接し、更に第１レンズカバー２１が左方向に移動した場合、第２係合部Ａ２の動作により、第２レンズカバー２２は、突出部２２２０が案内孔部２１１１に押圧されて、第１レンズカバー２１の移動に従動して左方向に移動する。この場合、カバー本体２１００の右側縁部とカバー本体２２００の左側縁部とは重なった状態を維持したまま移動する。そして、図２に示すように、開口部５０１を閉塞した閉塞状態となる。
【０１０７】
閉塞状態では、図２に示すように、第１レンズカバー２１のカバー本体２１００と、第２レンズカバー２２のカバー本体２２００とは、開口部５０１の前側に位置し、開口部５０１を覆う状態となる。これにより、図１（ｂ）に示すように、開口部１１１が閉塞状態となる。また、閉塞状態では、球Ｂ１がバネＳ１に押圧されて、操作部材４に形成された溝部４５０ｂに入り込むことで、クリック感を発生させると共に、操作部材４の位置を固定して閉塞状態を維持する。
【０１０８】
上述した実施形態によれば、以下の効果が得られる。
本実施形態のプロジェクター１は、外装筐体１０とレンズカバー機構１００とを備え、レンズカバー機構１００は、レンズカバー２（第１レンズカバー２１、第２レンズカバー２２）とリンク部材３と案内部材５とを備えている。そして、リンク部材３の回動により第１レンズカバー２１が移動し、第１レンズカバー２１の移動により第２レンズカバー２２が移動することにより、開口部１１１を開閉する。これにより、リンク部材３、レンズカバー２、および案内部材５という簡易な構成で開口部１１１を開閉するレンズカバー機構１００を実現することができる。
【０１０９】
また、レンズカバー２は、第１レンズカバー２１と第２レンズカバー２２との２つで構成されており、開口部１１１が開放された場合には、第１レンズカバー２１と第２レンズカバー２２とが重なることにより、レンズカバー２の退避（または収容）に要するスペースを小さくすることができる。従って、開口部１１１が開放された際のレンズカバー２の小型化を図ることができ、レンズカバー機構１００の小型化を図ることができる。これにより、機能装置（本実施形態では、カメラ１８や受光装置１９）の設置位置の自由度を向上させることができる。
【０１１０】
本実施形態のプロジェクター１は、リンク部材３をレンズカバー２に重ねる必要がなく、平面的に並べて設置する構成とすることができるため、投写レンズ１５の光軸方向（Ｚ軸方向）に対するリンク部材３やレンズカバー２の厚さを薄くすることができる。従って、レンズカバー機構１００の薄型化を図ることができる。
【０１１１】
本実施形態のプロジェクター１は、第１係合部Ａ１を備えることで、リンク部材３の回動で第１レンズカバー２１を移動させ、また、第２係合部Ａ２を備えることで、第１レンズカバー２１の移動により第２レンズカバー２２が押圧されて移動する。これにより、リンク部材３の回動で第１レンズカバー２１と第２レンズカバー２２とを移動させる構成の簡素化や、開口部１１１を開閉する際の操作性の向上を図ることができる。
【０１１２】
本実施形態のプロジェクター１は、外装筐体１０に対して移動してリンク部材３を回動させる操作部材４を設けることで、容易に開口部１１１を開閉させることができる。
【０１１３】
本実施形態のプロジェクター１において、第１レンズカバー２１（レンズカバー２）は、操作部材４の移動方向に対して逆方向に移動する。言い換えると、操作部材４は、レンズカバー２の移動方向に対して逆方向に移動する。なお、従来は、操作部材を操作した場合、操作部材と同じ方向にレンズカバーを移動させている。本実施形態のこの構成により、機能装置の投写レンズ１５に対する設置位置によらず、ユーザーが開口部１１１を開放させる際の操作部材４の移動方向および閉塞させる際の操作部材４の移動方向を従来と同様とすることができる。従って、機能装置の設置位置の自由度を向上させると共に、操作方法を従来と同様とさせる（操作方法を従来と統一させる）ことで、ユーザビリティーを向上させることができる。
【０１１４】
本実施形態のプロジェクター１は、回動軸５２０を中心として、第３軸部４４０と第１軸部３３０との成す角度θが、本実施形態では略１８０°となるように設置する構造である。従って、操作部材４の移動方向とレンズカバー２の移動方向とを逆方向とさせる構造を、簡易な構造で実現することができる。
また、角度θが略１８０°となるため、操作部材４の移動する力を、効率的に、レンズカバー２を移動させる力として変換することができる。
【０１１５】
本実施形態のプロジェクター１は、上述した効果により、レンズカバー機構１００の小型化、薄型化を図ることができる。これにより、プロジェクター１の小型化を図ることができる。
〔第２実施形態〕
【０１１６】
図７は、第２実施形態に係るレンズカバー機構１０１を示す斜視図であり、図７（ａ）は、レンズカバー機構１０１をプロジェクター１の前面１０ｃ側から見た斜視図であり、図７（ｂ）は、レンズカバー機構１０１をプロジェクター１の背面側から見た斜視図である。図８、図９は、レンズカバー機構１０１を示す分解斜視図である。詳細には、図８は、レンズカバー機構１０１をプロジェクター１の前面１０ｃ側から見た分解斜視図である。図９は、レンズカバー機構１０１をプロジェクター１の背面側から見た分解斜視図である。なお、図７〜図９は、レンズカバー機構１０１が開口部１１１を閉塞した閉塞状態を示している。
図７〜図９を参照して、レンズカバー機構１０１の構成を説明する。
【０１１７】
なお、本実施形態のレンズカバー機構１０１は、第１実施形態のレンズカバー機構１００と比較して、リンク部材３Ａの構造が、第１実施形態でのリンク部材３の構造と大きく異なる。なお、詳細には、特に第１係合部Ａ１周りの構造が異なっている。その他の構成は、略第１実施形態と同様となる。そのため、本実施形態では、第１実施形態と大きく異なる部分の構成や動作を主に説明し、構造が少し異なるが第１実施形態と略同様に動作する部分に関しては説明を省略する。また、第１実施形態と略同様に構成される部分については、同様の符号を付記して説明は省略する。
【０１１８】
レンズカバー機構１０１は、第１実施形態のレンズカバー２、リンク部材３、操作部材４、および案内部材５に対応して、レンズカバー２Ａ、リンク部材３Ａ、操作部材４Ａ、および案内部材５Ａを備えて構成されている。案内部材５Ａは、操作部材４Ａを直線状にスライドする往復移動を可能に案内し、リンク部材３Ａを円状にスライドする回動を可能に案内し、レンズカバー２Ａを直線状にスライドする往復移動を可能に案内する。
【０１１９】
案内部材５Ａは、案内部材本体５００Ａを有している。案内部材本体５００Ａの開口部５０１の左側には、筒状の回動軸５２０Ａが前側に突出して形成されている。この回動軸５２０Ａには、後述するリンク部材３Ａが設置され、回動軸５２０Ａを中心としてリンク部材３Ａを回動可能とさせる。回動軸５２０Ａの下側には、開口孔５０５が形成されている。開口孔５０５は、リンク部材３Ａの後述する移動部３６０を挿通させて、リンク部材３Ａが回動する際の回動範囲を規制する。
【０１２０】
案内部材本体５００Ａの下端部と突出部５３１との間には、突出部５３１に沿って、案内孔部５６０が形成されている。また、案内孔部５６０の下端部に沿って、前側に延出する案内突出部５６１が形成されている。なお、案内孔部５６０と案内突出部５６１とは、第１係合部Ａ１を構成する。
なお、その他は、第１実施形態と概同様に構成されているため、説明を省略する。
【０１２１】
操作部材４Ａは、図７〜図９に示すように、操作部材本体４００Ａを有している。操作部材本体４００Ａの左端部には、前後方向（Ｚ軸方向）の略中央部で、下側に突出して左側に延びる板状のスライド用突出部４３０Ａが形成されている。スライド用突出部４３０Ａの中ほどには、前側に突出する円柱状の軸部（第３軸部４４０Ａ）が形成されている。なお、第３軸部４４０Ａは、第３係合部Ａ３を構成する。
なお、その他は、第１実施形態と概同様に構成されているため、説明を省略する。
【０１２２】
リンク部材３Ａは、リンク部材本体３００Ａと移動部３６０とを有して構成されている。リンク部材本体３００Ａは、概円形状に形成され、回動するための回動孔部３１０Ａが形成されている。また、リンク部材本体３００Ａには、回動孔部３１０Ａを中心として、リンク部材本体３００Ａから外周方向に延出する長孔を有して軸受孔部３２０Ａが形成されている。軸受孔部３２０Ａは、操作部材４Ａの第３軸部４４０Ａを摺動可能に挿通する。なお、軸受孔部３２０Ａは、第３係合部Ａ３を構成する。
【０１２３】
リンク部材本体３００Ａには、回動孔部３１０Ａを中心として、軸受孔部３２０Ａと対称となる側に、リンク部材本体３００Ａの外周部から延出して前側に曲折するバネ保持部３５０が形成されている。また、バネ保持部３５０の先端部には、後述するバネＳ２を引掛けて固定するバネ固定片３５１が形成されている。また、バネ保持部３５０には、後述する移動部３６０を挿通して、移動部３６０の移動を案内する移動部案内孔３５５が略矩形状に形成されている。
【０１２４】
移動部３６０は、第１係合部Ａ１を備えると共に、リンク部材本体３００Ａの回動に従動し、リンク部材本体３００Ａに対して移動する部材である。移動部３６０は、概角柱状に形成される移動部本体３６１を有している。移動部本体３６１の下端部には、後側に延出して更に下側に延びる係合保持部３６５が形成されている。
【０１２５】
移動部本体３６１には、回動軸５２０Ａ及び回動孔部３１０Ａを挿通し、摺動可能とする矩形状の案内孔部３６２が形成されている。案内孔部３６２の下側面には、バネＳ２を引掛けて固定するバネ固定片３６３が形成されている。
【０１２６】
係合保持部３６５は、後述するピンＰ１を回動可能に保持する部材である。係合保持部３６５の先端部には前側に突出する円筒状のピン保持部３６６が形成されている。なお、ピン保持部３６６とピンＰ１とは、第１係合部Ａ１を構成する。
【０１２７】
レンズカバー２Ａは、第１レンズカバー２１Ａと第２レンズカバー２２Ａとの２つで構成されている。
第２レンズカバー２２Ａは、第１実施形態と同様に、カバー本体２２００を有する。カバー本体２２００には第２スライド部２２１０が形成されている。また、第２スライド部２２１０の左端部には、第１実施形態と同様に突出部２２２０が形成されている。なお、突出部２２２０は、第２係合部Ａ２を構成する。
なお、その他は、第１実施形態と概同様に構成されているため、説明を省略する。
【０１２８】
第１レンズカバー２１Ａは、第１実施形態と同様に、カバー本体２１００を有する。カバー本体２１００には、第１スライド部２１１０が形成されている。また、第１スライド部２１１０の下端部で、左端部近傍には、第１実施形態の軸受部２１２０に替えて、下方向に延出する軸受部２１５０が形成されている。
【０１２９】
軸受部２１５０の中央部には、下側に開口する軸受開口部２１５１が形成されている。軸受開口部２１５１の前側の周囲には、一段窪む溝部２１５２が形成されている。なお、軸受開口部２１５１は、第１係合部Ａ１を構成する。
なお、その他は、第１実施形態と概同様に構成されているため、説明を省略する。
【０１３０】
なお、本実施形態において、第１係合部Ａ１は、リンク部材３Ａのピン保持部３６６及びピンＰ１と、第１レンズカバー２１Ａの軸受開口部２１５１及び案内部材５Ａの案内孔部５６０、案内突出部５６１とで構成される。第２係合部Ａ２は、第１実施形態と同様に、第１レンズカバー２１Ａの案内孔部２１１１と、第２レンズカバー２２Ａの突出部２２２０とで構成される。第３係合部Ａ３は、操作部材４Ａの第３軸部４４０Ａと、リンク部材３Ａの軸受孔部３２０Ａとで構成される。
【０１３１】
次に、レンズカバー機構１０１の組立て方法に関して説明する。
図１０は、レンズカバー機構１０１を示す断面図である。図１０は、レンズカバー２Ａが、閉塞状態と開放状態との中間に位置する状態で、リンク部材３Ａの回動孔部３１０Ａを通るＹ-Ｚ平面で切断した断面図である。図７〜図１０を参照して、レンズカバー機構１０１の組立て方法を説明する。
【０１３２】
レンズカバー機構１０１の組立てに先立ち、サブ組立てとしてリンク部材３Ａを組立てる。
リンク部材３Ａの組立ては、最初に、リンク部材本体３００Ａに移動部３６０を組立てる。詳細には、リンク部材本体３００Ａの移動部案内孔３５５に、前側から移動部３６０の係合保持部３６５を挿入してバネ保持部３５０をくぐった状態で、回動孔部３１０Ａが移動部３６０の案内孔部３６２に挿通するように設置する。
【０１３３】
そして、バネＳ２の両端部に形成されるフックを、バネ保持部３５０のバネ固定片３５１と、移動部３６０のバネ固定片３６３とに引掛ける。なお、付勢部材としてのバネＳ２は、本実施形態では、引張りコイルバネとして構成され、両端部にはバネ固定片３５１，３６３に引掛けるためのフックを有している。
【０１３４】
バネＳ２をバネ固定片３５１，３６３に引掛けた場合、バネＳ２の付勢力により、移動部３６０は、案内孔部３６２が回動孔部３１０Ａを摺動し、リンク部材本体３００Ａに対して外周側（外側）に移動する。
【０１３５】
次に、図１０に示すように、移動部３６０のピン保持部３６６に、丸形状の頭部を有する円柱状のピンＰ１を後側から挿通する。そして、ピン保持部３６６から前側に突出したピンＰ１の円柱部に形成される溝部に、Ｃ型リングＣ１を係合する。これにより、ピンＰ１がピン保持部３６６に保持される。以上のサブ組立てにより、リンク部材３Ａが組立てられる。
【０１３６】
次に、操作部材４Ａを案内部材５Ａに設置する。
操作部材４Ａを案内部材５Ａに設置する場合、操作部材４Ａが案内部材５Ａの操作案内部５１０を挟み込むように、操作案内部５１０の左端部から右端部に向けて挿入する。これにより、操作部材４Ａは、操作案内部５１０に対して左右方向（直線状）にスライドする往復移動が可能となる。
【０１３７】
次に、リンク部材３Ａを案内部材５Ａに設置する。
リンク部材３Ａを案内部材５Ａに設置する場合、図１０に示すように、移動部３６０が設置されたリンク部材本体３００Ａの回動孔部３１０Ａに、案内部材５Ａの回動軸５２０Ａを挿通させて設置する。その際、案内部材５Ａの開口孔５０５内に位置する移動部３６０のピン保持部３６６を、案内部材５Ａの案内孔部５６０に挿通する。また、この設置に併せて、リンク部材本体３００Ａの軸受孔部３２０Ａに、操作部材４Ａの第３軸部４４０Ａを挿通させる。
【０１３８】
その後、回動孔部３１０Ａから若干突出した回動軸５２０Ａに対し、前側からワッシャーＷ２を設置し、設置したワッシャーＷ２を介してネジＳＣ２を回動軸５２０Ａの孔部に螺合させる。これにより、リンク部材３Ａは、回動軸５２０Ａを中心として、円状にスライドする回動が可能となる。
【０１３９】
次に、第２レンズカバー２２Ａを案内部材５Ａに設置する。
なお、第２レンズカバー２２Ａを案内部材５Ａに設置する方法は、第１実施形態での第２レンズカバー２２を案内部材５に設置する方法と同様となるため説明を省略する。この設置により、第２レンズカバー２２Ａは、左右方向（Ｘ軸方向）に移動可能となる。
【０１４０】
次に、第１レンズカバー２１Ａを案内部材５Ａに設置する。
第１レンズカバー２１Ａを案内部材５Ａに設置する場合、案内部材５Ａの２つの突出部５３０，５３１の間に沿うように第１レンズカバー２１Ａの突出部２１１３を挿入して設置する。その際、第２レンズカバー２２Ａの突出部２２２０を、第１レンズカバー２１Ａの案内孔部２１１１に挿通させる。
【０１４１】
また、この設置に併せて、図７（ａ）に示すように、第１レンズカバー２１Ａの軸受部２１５０に形成される軸受開口部２１５１に対して、案内部材５Ａの案内孔部５６０から前側に突出して設置されているリンク部材３ＡのピンＰ１を挿入させる。これにより、Ｃ型リングＣ１は、軸受部２１５０の溝部２１５２に位置し、ピンＰ１が軸受開口部２１５１から後側に抜けることを防止する。
【０１４２】
また、この状態では、図７（ａ）に示すように、第１レンズカバー２１Ａのスライド片２１１４が、案内部材５Ａの案内片５３２と突出部５３１とに挟まれる。また、図７（ｂ）に示すように、第１レンズカバー２１Ａの片部２１３０が、案内部材５Ａの案内孔５３３に案内された状態となる。以上の組立てにより、第１レンズカバー２１Ａが案内部材５Ａに設置され、左右方向（Ｘ軸方向）に移動可能となる。
以上の組立てにより、レンズカバー機構１０１の組立てが完了する。
【０１４３】
なお、上述したように、第３係合部Ａ３は、操作部材４Ａの第３軸部４４０Ａと、リンク部材３Ａの軸受孔部３２０Ａとで構成されている。この第３係合部Ａ３により、操作部材４Ａを左右方向に移動させることで、第３軸部４４０Ａが軸受孔部３２０Ａを摺動し、操作部材４Ａの移動による力をリンク部材３Ａに伝達する。これにより、リンク部材３Ａが回動軸５２０Ａを中心に回動する。詳細には、操作部材４Ａを左方向（−Ｘ方向）に移動させた場合、リンク部材３Ａは、反時計回りに回転する。また、操作部材４Ａを右方向（＋Ｘ方向）に移動させた場合、リンク部材３Ａは、時計回りに回転する。
【０１４４】
また、上述したように、第１係合部Ａ１は、リンク部材３Ａのピン保持部３６６およびピンＰ１と、第１レンズカバー２１Ａの軸受開口部２１５１および案内部材５Ａの案内孔部５６０、案内突出部５６１とで構成される。この第１係合部Ａ１により、リンク部材３Ａ（リンク部材本体３００Ａ）を回動させる場合、移動部３６０は、リンク部材３ＡのピンＰ１が、第１レンズカバー２１Ａの軸受開口部２１５１に案内され、また、リンク部材３Ａのピン保持部３６６が、案内孔部５６０を摺動することにより、左右方向に移動する。このとき、移動部３６０は、バネＳ２に付勢されながら、リンク部材本体３００Ａの回動に応じて、移動部案内孔３５５を移動する。
【０１４５】
ピン保持部３６６が、案内孔部５６０を摺動して左右方向に移動することにより、リンク部材３Ａの回動による力を第１レンズカバー２１Ａに伝達する。これにより、第１レンズカバー２１Ａが左右方向に移動する。詳細には、リンク部材３Ａを反時計回りに回転した場合、第１レンズカバー２１Ａは、右方向に移動する。また、リンク部材３Ａを時計回りに回転した場合、第１レンズカバー２１Ａは、左方向に移動する。
【０１４６】
なお、第１係合部Ａ１は、リンク部材３Ａに、軸部として構成されるピン保持部３６６及びピンＰ１を有し、第３係合部Ａ３は操作部材４Ａに第３軸部４４０Ａを有する。そして、本実施形態では、このピン保持部３６６（ピンＰ１）と第３軸部４４０Ａとは、回動軸５２０Ａを中心とする軸部どうしの成す角度θが、略１８０°となるように設置されている。
【０１４７】
また、本実施形態では、移動部３６０の第１係合部Ａ１は、バネＳ２の付勢力により、閉塞状態と開放状態とにおいて、リンク部材本体３００Ａに対して最大に外側に移動した状態となっている。
【０１４８】
また、上述したように、第２係合部Ａ２は、第１レンズカバー２１Ａの案内孔部２１１１と、第２レンズカバー２２Ａの突出部２２２０とで構成されている。この第２係合部Ａ２により、レンズカバー２Ａは、第１レンズカバー２１Ａが移動することで、第２レンズカバー２２Ａが押圧されて移動する。なお、レンズカバー２Ａの第２係合部Ａ２による動作は、第１実施形態と同様となるため説明は省略する。
【０１４９】
図１１は、レンズカバー２Ａが開放状態と閉塞状態との中間に位置している状態を示す斜視図であり、図１１（ａ）は、レンズカバー機構１０１を前側から見た斜視図であり、図１１（ｂ）は、レンズカバー機構１０１を後側から見た斜視図である。図１２は、レンズカバー２Ａが開放状態に位置している状態を示す斜視図であり、図１２（ａ）は、レンズカバー機構１０１を前側から見た斜視図であり、図１２（ｂ）は、レンズカバー機構１０１を後側から見た斜視図である。
図７〜図１２を参照して、レンズカバー機構１０１の動作を説明する。
【０１５０】
最初に、閉塞状態から開放状態に遷移する動作を説明する。
図７に示す閉塞状態から、図１２に示す開放状態とするためには、ユーザーは、把持部４１０を把持して操作部材４Ａを左方向に移動させることにより、操作部材４Ａが移動を開始する。
【０１５１】
操作部材４Ａが左方向に移動すると、第３係合部Ａ３の動作により、リンク部材３Ａ（リンク部材本体３００Ａ）が反時計回りに回転する。リンク部材本体３００Ａが反時計回りに回転を開始した場合、移動部３６０（ピン保持部３６６）は、リンク部材本体３００Ａの回転による力により、バネＳ２の付勢力に抗してピン保持部３６６が、案内孔部５６０を摺動する。これにより、第１レンズカバー２１Ａの軸受開口部２１５１がピンＰ１に押圧されて、右方向への移動を開始する。そして、操作部材４Ａの左方向への移動に従動して、第１レンズカバー２１Ａが右方向に移動する。
【０１５２】
なお、第１レンズカバー２１Ａが右方向へ移動する場合、移動部３６０は、移動部案内孔３５５を摺動してリンク部材本体３００Ａの内側に移動する。そして、移動部３６０の移動量（リンク部材本体３００Ａの回転量）の増加に対応して、バネＳ２による付勢力が増加して移動部３６０に加わる。
【０１５３】
なお、第１レンズカバー２１Ａが右方向へ移動する場合、第２係合部Ａ２の動作により、第１レンズカバー２１Ａの案内孔部２１１１は、第２レンズカバー２２Ａの位置はそのままで、突出部２２２０を摺動させながら移動する。これにより、第２レンズカバー２２Ａは、図１１（ａ）に示すように、案内孔部２１１１の左端部が突出部２２２０に当接するまで、閉塞状態の位置を保つ。
【０１５４】
従って、第１レンズカバー２１Ａは、第２係合部Ａ２の動作により、第２レンズカバー２２Ａの位置を閉塞状態での位置で維持し、そのままに、右方向に移動する。そして、図１１（ａ）に示すように、案内孔部２１１１の左端部が突出部２２２０に当接する際には、本実施形態では、第１レンズカバー２１Ａのカバー本体２１００が、第２レンズカバー２２Ａのカバー本体２２００の前側に移動し、カバー本体２１００，２２００どうしが重なる状態となる。
【０１５５】
なお、この状態が、図１１（ａ）に示すように、レンズカバー２Ａが閉塞状態と開放状態との中間に位置している状態となる。また、この状態のとき、本実施形態では、移動部３６０が最もリンク部材本体３００Ａ内部に入り込んだ状態となり、バネＳ２の付勢力が最も大きくなる状態となる。
【０１５６】
案内孔部２１１１の左端部が突出部２２２０に当接し、更に第１レンズカバー２１Ａが右方向に移動した場合、第２係合部Ａ２の動作により、第２レンズカバー２２Ａは、突出部２２２０が案内孔部２１１１に押圧されて、第１レンズカバー２１Ａの移動に従動して右方向に移動する。この場合、第１レンズカバー２１Ａ（カバー本体２１００）と第２レンズカバー２２Ａ（カバー本体２２００）とは、重なった状態を維持したまま移動する。そして、開口部５０１を開放した開放状態となる。これにより、図１（ａ）に示すように、開口部１１１が開放状態となる。
【０１５７】
なお、レンズカバー２Ａが中間の位置を過ぎ、開放状態の位置に向けて第１レンズカバー２１Ａが右方向へ移動する場合、移動部３６０は、移動部案内孔３５５を摺動してリンク部材本体３００Ａの外側に移動する。そして、移動部３６０の移動量（リンク部材本体３００Ａの回転量）の増加に対応して、バネＳ２による付勢力が、減少しながら移動部３６０に加わる。
【０１５８】
開放状態では、図１２（ａ）に示すように、第１レンズカバー２１Ａのカバー本体２１００と、第２レンズカバー２２Ａのカバー本体２２００とは、重なった状態で、開口部５０１の右側に位置する状態となる。また、開放状態では、図１２（ａ）に示すように、リンク部材３Ａとレンズカバー２Ａ（カバー本体２１００、カバー本体２２００）とは、開口部５０１（開口部１１１）の両側に位置する状態となる。
【０１５９】
図１２（ｂ）に示すように、開放状態では、第１レンズカバー２１Ａの片部２１３０が、検出スイッチ７の一方のリード片を押圧することにより、他方のリード片と離間する状態となる。これにより、検出スイッチ７は、開放状態に遷移したことを示す信号として検出する。
【０１６０】
次に、開放状態から閉塞状態に遷移する動作を説明する。
図１２に示す開放状態から、図７に示す閉塞状態とするには、ユーザーは、把持部４１０を把持して操作部材４Ａを右方向に移動させることにより、操作部材４Ａが移動を開始する。
【０１６１】
操作部材４Ａが右方向に移動すると、第３係合部Ａ３の動作により、リンク部材３Ａ（リンク部材本体３００Ａ）が時計回りに回転する。リンク部材本体３００Ａが時計回りに回転を開始した場合、移動部３６０（ピン保持部３６６）は、リンク部材本体３００Ａの回転による力により、バネＳ２の付勢力に抗してピン保持部３６６が、案内孔部５６０を摺動する。これにより、第１レンズカバー２１Ａの軸受開口部２１５１がピンＰ１に押圧されて、左方向への移動を開始する。そして、操作部材４Ａの右方向への移動に従動して、第１レンズカバー２１Ａが左方向に移動する。
【０１６２】
また、操作部材４が右方向に移動すると、第１レンズカバー２１Ａの片部２１３０が、検出スイッチ７の一方のリード片の押圧を解除することにより、一方のリード片が他方のリード片と当接して押圧した状態となる。これにより、検出スイッチ７は、開放状態を解除したことを示す信号として検出する。
【０１６３】
第１レンズカバー２１Ａが左方向へ移動する場合、移動部３６０は、移動部案内孔３５５を摺動してリンク部材本体３００Ａの内側に移動する。そして、移動部３６０の移動量（リンク部材本体３００Ａの回転量）の増加に対応して、バネＳ２による付勢力が増加して移動部３６０に加わる。
【０１６４】
なお、第１レンズカバー２１Ａが左方向へ移動する場合、第２係合部Ａ２の動作により、第１レンズカバー２１Ａの案内孔部２１１１は、第２レンズカバー２２Ａの位置はそのままで、突出部２２２０を摺動させながら移動する。これにより、第２レンズカバー２２Ａは、案内孔部２１１１の右端部が突出部２２２０に当接するまで、開放状態の位置を保つ。
【０１６５】
従って、第１レンズカバー２１Ａは、第２係合部Ａ２の動作により、第２レンズカバー２２Ａの位置を開放状態での位置で維持し、左方向に移動する。そして、案内孔部２１１１の右端部が突出部２２２０に当接する際には、カバー本体２１００，２２００どうしの重なりを解除する状態となる。なお、カバー本体２１００の右側縁部とカバー本体２２００の左側縁部とは重なった状態となる。
【０１６６】
なお、この状態は、レンズカバー２Ａが閉塞状態と開放状態との中間に位置している状態となる。詳細には、第１レンズカバー２１Ａが、閉塞状態と開放状態との中間に位置している状態となる。この状態のとき、本実施形態では、移動部３６０が最もリンク部材本体３００Ａ内部に入り込んだ状態となり、バネＳ２の付勢力が最も大きくなる状態となる。
【０１６７】
案内孔部２１１１の右端部が突出部２２２０に当接し、更に第１レンズカバー２１Ａが左方向に移動した場合、第２係合部Ａ２の動作により、第２レンズカバー２２Ａは、突出部２２２０が案内孔部２１１１に押圧されて、第１レンズカバー２１Ａの移動に従動して左方向に移動する。この場合、カバー本体２１００の右側縁部とカバー本体２２００の左側縁部とは重なった状態を維持したまま移動する。そして、図７に示すように、開口部５０１を閉塞した閉塞状態となる。
【０１６８】
閉塞状態では、図７に示すように、第１レンズカバー２１Ａのカバー本体２１００と、第２レンズカバー２２Ａのカバー本体２２００とは、開口部５０１の前側に位置し、開口部５０１を覆う状態となる。これにより、図１（ｂ）に示すように、開口部１１１が閉塞状態となる。
【０１６９】
なお、レンズカバー２Ａが中間の位置を過ぎ、閉塞状態の位置に向けて第１レンズカバー２１Ａが左方向へ移動する場合、移動部３６０は、移動部案内孔３５５を摺動してリンク部材本体３００Ａの外側に移動する。そして、移動部３６０の移動量（リンク部材本体３００Ａの回転量）の増加に対応して、バネＳ２による付勢力が、減少しながら移動部３６０に加わる。
【０１７０】
上述した実施形態によれば、第１実施形態での効果を同様に奏する他、以下の効果が得られる。
【０１７１】
本実施形態のプロジェクター１において、リンク部材３Ａは、リンク部材本体３００Ａと移動部３６０とを備えている。そして、リンク部材３Ａは、回動軸５２０Ａに支持されて回動し、移動部３６０は、第１係合部Ａ１を備えると共に、リンク部材本体３００Ａの回動に従動してリンク部材本体３００Ａに対して移動する。このようにリンク部材３Ａが構成されることにより、リンク部材３Ａを小型化することができる。特に、高さ方向（Ｙ軸方向）を小型化できるため、プロジェクター１の薄型化を図ることができる。また、リンク部材３Ａを小型化することができるため、機能装置の設置位置の自由度を向上させることができる。
【０１７２】
本実施形態のプロジェクター１において、リンク部材３Ａが回動する場合、移動部３６０の第１係合部Ａ１（ピン保持部３６６、ピンＰ１）は、開放状態および閉塞状態で、リンク部材本体３００Ａに対して最大に外側に移動する。この動作により、第１レンズカバー２１Ａを直線状に移動させることが可能となる。
【０１７３】
本実施形態のプロジェクター１において、リンク部材３Ａは、リンク部材本体３００Ａと移動部３６０との間に付勢力を発生する付勢部材としてのバネＳ２を備えている。また、バネＳ２は、引張りコイルバネで構成されている。これにより、リンク部材本体３００Ａの回動による力を、移動部３６０の移動する力として効率的に伝達することができる。従って、リンク部材３Ａは、操作部材４Ａの移動する力を、効率的に第１レンズカバー２１Ａを移動させる力として伝達することができる。
【０１７４】
本実施形態のプロジェクター１において、移動部３６０は、開放状態および閉塞状態で、リンク部材本体３００Ａに対して、第１係合部Ａ１を外側に移動（移動部３６０を外側に移動）させ、開放状態と閉塞状態との中間の状態において第１係合部Ａ１を内側に移動（移動部３６０を内側に移動）させている。これにより、例えば、閉塞状態から開放状態とさせるために、リンク部材３Ａを回転させる場合には、比較的弱い力で開始でき、徐々に力が必要となり、第１係合部Ａ１が最も内側に移動する中間位置を過ぎた場合には、バネＳ２の付勢力（元に戻ろうとする力）により、力をあまり必要とせずに開放状態となる位置までレンズカバー２Ａを移動させることが可能となる。また、逆に開放状態から閉塞状態となるようにリンク部材３Ａを回転させる場合も、同様となり、中間位置を過ぎた場合には、バネＳ２の付勢力により、力を必要とせずに閉塞状態となる位置までレンズカバーを移動させることが可能となる。
【０１７５】
なお、上述した実施形態に限定されず、その要旨を逸脱しない範囲において種々の変更や改良等を加えて実施することが可能である。変形例を以下に述べる。
【０１７６】
前記第１実施形態のプロジェクター１は、回動軸５２０を中心として、第３軸部４４０と第１軸部３３０との成す角度θが、略１８０°となるように設置する構造としている。しかし、これに限らず、角度θが、９０°＜θ＜２７０°となる範囲で設置されていることでよい。これは、前記第２実施形態においても同様となる。
【０１７７】
前記第２実施形態のリンク部材３Ａにおいて、第１係合部Ａ１は、開放状態と閉塞状態との２つの状態で、リンク部材本体３００Ａに対して最大に外側に移動しているが、これに限られず、開放状態と閉塞状態とのうち、どちらか一方の状態で、最大に外側に移動する設定としてもよい。
【０１７８】
前記第２実施形態のリンク部材３Ａにおいて、付勢部材としてのバネＳ２は、引張りコイルバネを用いている。しかし、これに限られず、圧縮コイルバネや、ねじりコイルバネ等を用いてもよい。また、コイルバネに限らず、板バネ等を含め、付勢力を発生させる各種部材を用いることでよい。
【０１７９】
前記第２実施形態のリンク部材３Ａにおける付勢部材の用い方は、この実施形態に限定されず、付勢部材の個数や設置位置などを考慮することで、レンズカバーを開閉動作させる場合の操作部材の操作力を調整でき、操作部材の操作性を向上させることができる。
【０１８０】
前記第１、第２実施形態のプロジェクター１では、機能装置として、カメラ１８および受光装置１９が設置されている。しかし、これに限られず、機能装置として、無線通信により画像の送信および/または受信が可能な無線装置が設置されていてもよい。また、画像を右目用画像と左目用画像とに時分割で投写する場合の、画像切り替えに同期する光信号を、スクリーンに向けて出力する発信装置が設置されていてもよい。
【符号の説明】
【０１８１】
１…プロジェクター、２，２Ａ…レンズカバー、３，３Ａ…リンク部材、４，４Ａ…操作部材、５，５Ａ…案内部材、１０…外装筐体、１５…投写レンズ、１８…カメラ、１９…受光装置、２１，２１Ａ…第１レンズカバー、２２，２２Ａ…第２レンズカバー、１００，１０１…レンズカバー機構、１１１…開口部、３００，３００Ａ…リンク部材本体、３２０，３２０Ａ…軸受孔部（第３係合部）、３３０…第１軸部（第１係合部）、３６０…移動部、３６１…移動部本体、３６６…ピン保持部（第１係合部）、４４０，４４０Ａ…第３軸部（第３係合部）、５２０，５２０Ａ…回動軸、５６０…案内孔部（第１係合部）、５６１…案内突起部（第１係合部）、２１１１…案内孔部（第２係合部）、２１２１…軸受孔部（第１係合部）、２１５１…軸受開口部（第１係合部）、２２２０…突出部（第２係合部）、Ａ１…第１係合部、Ａ２…第２係合部、Ａ３…第３係合部、Ｐ１…ピン（第１係合部）、Ｓ２…バネ（付勢部材）。
【図１】
2015102784.tif 000003
【図２】
2015102784.tif 000004
【図３】
2015102784.tif 000005
【図４】
2015102784.tif 000006
【図５】
2015102784.tif 000007
【図６】
2015102784.tif 000008
【図７】
2015102784.tif 000009
【図８】
2015102784.tif 000010
【図９】
2015102784.tif 000011
【図１０】
2015102784.tif 000012
【図１１】
2015102784.tif 000013
【図１２】
2015102784.tif 000014